(57)【特許請求の範囲】
【請求項１】
ギターの各弦を規定の音程に調律するためのギター用調律器において、
前記ギター用調律器をカポタストと一体型とし、
ギターの音を入力する入力手段と、
前記入力手段から入力された音の波形をパルス状の波形に変換する波形整形回路と、
前記波形整形回路で変換された波形の周波数を演算する演算手段と、
カポタストを装着したフレットの位置に対応する各弦の規定の周波数が記憶されたメモリーと、
カポタストを装着したフレットの位置を設定する装着位置設定手段と、
前記装着位置設定手段により設定されたフレット位置に対応する各弦の規定の周波数を前記メモリーから読み込み、前記演算手段により演算された周波数と規定の周波数とを比較する比較手段と、
前記装着位置設定手段で設定されたカポタストの装着位置と、前記比較手段の比較結果を表示する表示手段と、
を有することを特徴とするギター用調律器。
【請求項２】
前記入力手段は、振動センサとマイクを切替えて用いる事を特徴とする請求項１記載のギター用調律器。
【請求項３】
前記入力手段は、前記装着位置設定手段によりフレットに装着されていないと入力された場合は、マイクを用いる事を特徴とする請求項２に記載のギター用調律器。
【発明の詳細な説明】
【０００１】
【発明の属する技術分野】
この発明はギターを調律するためのギター用調律器の音程設定に関するものである。
【０００２】
【従来の技術】
従来から、様々な入力手段によって楽器から出力された音を信号として拾い、得られた信号の波形から音名やオクターブを判定して表示するギター用調律器が知られている。しかし、これら従来のギター用調律器では、開放弦での音程以外では調律する事ができなかった。
【０００３】
【発明が解決しようとする課題】
ギターの演奏時においては、キー（調）を変えるために、すべての弦を同じフレットに同時に押さえつけるカポタストを用いる場合がある。このカポタストを用いると、カポタストを装着しない開放弦での状態で各弦を規定の音程に調律しても、カポタストを装着した時に各弦の張力が狂い規定の音程に対してずれてしまい、再度カポタストを装着した状態で調律を行う必要が生じてしまう。そしてその際、カポタストを装着する位置により各弦の音程が、開放弦での音程とずれるため、ギター用の調律器を使用する事は不可能であった。
【０００４】
そこでこの発明の目的は、従来のこのような課題を解決するため、ギターにカポタストを装着した際にその装着位置を調律器に設定する手段と表示する手段を設け、各弦の音程を自動的にカポタストの装着位置での音程に設定する事を可能とすることにある。
【０００５】
【課題を解決するための手段】
上記課題を解決するために、この発明は、ギター用調律器において、ギターにカポタストを装着した際にその装着位置を調律器に設定する手段と表示する手段を設け、各弦の音程を自動的にカポタストの装着位置での音程に設定するようにした。
【０００６】
【発明の実施の形態】
【０００７】
【実施例】
この発明に係るギター用調律器の実施例を図面に基づいて説明する。図１は本発明に係るギター用調律器の実施例の構成を示す回路ブロック図である。図２はギターの各弦の各フレットでの音程表である。以下図１、図２を基に説明する。まず、ギターにカポタストを装着した状態において、ギターからの音は入力手段１により波形整形回路２に入力される。この入力手段は、例えばジャックやマイク、またはセンサであり、ギターから出力された音を調律器に信号として入力するものである。波形整形回路２は、入力された音の信号をパルス状の信号波形に変換し、これを波形整形回路２の出力信号として演算手段３ａに入力する。この波形成形回路は、オペアンプやトランジスタにより構成されている。
【０００８】
演算手段３ａは、波形整形回路２より入力された信号の単位時間あたりのパルス数を計測する事によりギターからの音の周波数を算出する。メモリー３ｃには、図２に表した各弦の音名に対応する周波数が各フレットごとに収納されている。演算手段３ａにより算出された値は、比較手段３ｂにより、メモリー３ｃに記憶されている装着位置設定手段５により設定されたフレット位置に対応するデータと比較し、その比較結果に基づき表示手段４に表示がされる。
【０００９】
なお、装着位置設定手段５は、プッシュスイッチを用いて、スイッチを操作するごとにメモリー３ｃに記憶されているデータが順次切替わりその選択されたフレット位置を表示手段４に表示させる。
【００１０】
また、ロータリースイッチを装着位置設定手段５として用いた場合にはロータリースイッチの各ポジションに対応してメモリー３ｃに記憶されているデータが切替わるとともに、ロータリースイッチの各ポジションがフレット位置の表示を兼ねることが可能となる。
【００１１】
図３は、本発明に係るギター用調律器の表示手段の実施例である。この実施例において、ギターより入力された音の弦名を弦名表示部４ｂに表示し、規定の周波数との偏差を偏差表示部４ａに表示させる。また、表示手段４は、装着位置設定手段５により、設定されたフレット位置もフレット位置表示部４ｃに併せて表示する。表示手段は、表示手段を表示パネルとし、ＬＥＤ素子や液晶表示素子で構成しても良い。また、一般的に演算手段３ａと比較手段３ｂとメモリー３ｃは、マイクロコンピュータ３が用いられる。
【００１２】
図４は、本発明に係るギター用調律器をカポタストと一体とし、入力手段として振動センサとマイクを切替えて使用する時の実施例の概略図である。カポタスト６は、ギターの各弦をフレットに押しつける部材と一体となった調律器６ａとギターに装着し固定するための部材６ｂからなり、調律器６ａの内部にはギターの音を入力するための振動センサ１ａとマイク１ｂと入力手段切替えスイッチ１ｃ、前記波形整形回路２、マイクロコンピュータ３、表示手段４、そして装着位置設定スイッチ５ａが内蔵されている。
【００１３】
カポタスト６をギターに装着した時は、装着するフレットを装着位置設定スイッチ５ａにより選択し、また、入力手段切替えスイッチ１ｃにより、入力手段１として振動センサ１ａを選択し、ギターの弦の振動を入力として用いる。カポタスト６をギターに装着しない時は装着位置設定スイッチ５ａを操作し装着位置を０に設定する。
【００１４】
また、この状態ではギターの弦の振動を入力として用いる事は不可能であるため、入力手段切替えスイッチ１ｃにより、入力手段１としてマイク１ｂを選択し、ギターの音を入力として用いる。ここでは一意的に入力手段の切替えに入力手段切替えスイッチ１ｃを用いて説明しているが、装着位置設定スイッチ５ａにより設定された値を基にマイクロコンピュータ３のプログラムにより自動的に切替えることも可能である。
【００１５】
【発明の効果】
以上説明したように本発明は、ギター用調律器にギターにカポタストを装着した際にその装着位置を調律器に設定する手段を設け、各弦の音程を自動的にカポタストの装着位置での音程に設定する事が可能となり、カポタストを装着したまま各弦を規定の音程に調律することが可能となった。
【図面の簡単な説明】
【図１】本発明のギター用調律器の回路ブロック図である。
【図２】ギターの各弦の各フレットでの音程表である。
【図３】本発明に係るギター用調律器の表示手段の実施例である。
【図４】本発明に係るギター用調律器をカポタストと一体とし、入力手段として振動センサとマイクを切替えて使用する時の実施例の概略図である。
【符号の説明】
１    入力手段
１ａ  振動センサ
１ｂ  マイクロフォン
１ｃ  入力手段切替えスイッチ
２    波形整形回路
３    マイクロコンピュータ
３ａ  演算手段
３ｂ  比較手段
３ｃ  メモリー
４    表示手段
４ａ  偏差表示部
４ｂ  弦名表示部
４ｃ  フレット位置表示部
５    装着位置設定手段
５ａ  装着位置設定スイッチ
【図１】
0004087143.tif 000002
【図２】
0004087143.tif 000003
【図３】
0004087143.tif 000004
【図４】
0004087143.tif 000005